(57)【要約】【課題】対応されていない形式によってフォーマットされた外部メモリに対する制御部の処理速度の低下を抑制することが可能な電子機器を提供する。【解決手段】この電子機器（ビデオカメラ１）では、制御部１４ａが、所定の条件を満たしている場合（たとえば、メモリカード１０がビデオカメラ１に対応されていない形式によってフォーマットされている場合などの場合）に、ユーザに対して警告９ｇを表示するとともに対応の選択を要求する警告・選択画面（１）９ｂおよび警告・選択画面（２）９ｃを液晶モニタ９に表示させるように制御するように構成する。【選択図】図３
2008197954.tif 000002
【特許請求の範囲】
【請求項１】
データを記憶する外部メモリが着脱可能に装着される装置本体を備えた電子機器において、
表示部と、
前記装置本体に装着された前記外部メモリを制御するための制御部とをさらに備え、
前記制御部は、前記外部メモリにアクセスする際に前記外部メモリの内部情報を取得するとともに、前記制御部の設定および取得した前記外部メモリの内部情報が所定の条件を満たしているか否かを判断し、前記所定の条件を満たす場合に、ユーザに対して警告するとともに対応の選択を要求する画面を前記表示部に表示させるように制御するように構成され、
前記所定の条件は、前記制御部による、ユーザに対する前記警告の表示の設定が有効であるという条件と、前記外部メモリに対する書き込み禁止の設定がなされていないという条件と、前記外部メモリが所定の容量以下であるという条件と、前記外部メモリが所定のフォーマット以外でフォーマットされているという条件との少なくとも１つを含み、
前記装置本体は、内部メモリを含み、
前記外部メモリに記録される全データの容量が前記装置本体の前記内部メモリ部の容量以下の場合に、前記表示部に表示される前記対応の選択を表示する画面には、少なくとも、前記外部メモリに記憶されたデータを消去しないで所定のフォーマットによりフォーマットするという第１選択肢が表示され、
ユーザにより前記第１選択肢が選択された場合に、前記制御部は、前記外部メモリに記録される全データを一時的に前記装置本体の前記内部メモリ部に記録させて前記外部メモリに対して前記所定のフォーマットによりフォーマットするとともに、前記外部メモリのフォーマットの終了後に、前記装置本体の前記内部メモリ部に一時的に記録させた全データを、再度前記外部メモリに記録させるように構成されている、電子機器。
【請求項２】
表示部と、
データを記憶する外部メモリが着脱可能に装着される装置本体と、
前記装置本体に装着された前記外部メモリを制御するための制御部とを備え、
前記制御部は、所定の条件を満たす場合に、ユーザに対して警告するとともに対応の選択を要求する画面を前記表示部に表示させるように制御するように構成されている、電子機器。
【請求項３】
前記所定の条件は、前記制御部による、ユーザに対する前記警告の表示の設定が有効であるという条件と、前記外部メモリに対する書き込み禁止の設定がなされていないという条件と、前記外部メモリが所定の容量以下であるという条件と、前記外部メモリが所定のフォーマット以外でフォーマットされているという条件との少なくとも１つを含む、請求項２に記載の電子機器。
【請求項４】
前記制御部は、前記外部メモリにアクセスする際に前記外部メモリの内部情報を取得するとともに、前記制御部による設定および取得した前記外部メモリの内部情報が前記所定の条件を満たしているか否かを判断するように構成されている、請求項２または３に記載の電子機器。
【請求項５】
前記装置本体は、内部メモリ部を含み、
前記外部メモリに記録される全データの容量が前記装置本体の前記内部メモリ部の容量以下の場合に、前記表示部に表示される対応の選択を表示する画面には、少なくとも、前記外部メモリに記憶されたデータを消去しないで所定のフォーマットによりフォーマットするという第１選択肢が表示されるように構成されている、請求項２〜４のいずれか１項に記載の電子機器。
【請求項６】
ユーザにより前記第１選択肢が選択された場合に、前記制御部は、前記外部メモリに記録される全データを一時的に前記装置本体の前記内部メモリ部に記録させて前記外部メモリに対して前記所定のフォーマットによりフォーマットするとともに、前記外部メモリのフォーマットの終了後に、前記装置本体の前記内部メモリ部に一時的に記録させた全データを、再度前記外部メモリに記録させるように構成されている、請求項５に記載の電子機器。
【発明の詳細な説明】
【技術分野】
【０００１】
この発明は、電子機器に関し、データを記憶する外部メモリが着脱可能に装着される装置本体を備えた電子機器に関する。
【背景技術】
【０００２】
従来、データを記憶する外部メモリが着脱可能に装着される装置本体を備えた電子機器、またはそのような外部メモリを制御するファイル制御方式が知られている（たとえば、特許文献１および２）。
【０００３】
上記特許文献１には、記録媒体としてのカード（外部メモリ）と、制御プロセッサ（制御部）とを備えたディジタルカメラにおける記録媒体のファイル制御方式が開示されている。この特許文献１に記載のファイル制御方式では、制御プロセッサは、挿入されたカードを認識した後にフォーマット形式などのカードの内部情報を検出し、検出された内部情報を基にして以後のカード制御を行うとともに、エラーが発生した場合には、エラーの発生をユーザに知らせるように構成されている。
【０００４】
また、上記特許文献２には、メモリカード（外部メモリ）と、ＣＰＵ（制御部）とを備えた画像データ記録装置（電子機器）が開示されている。この特許文献２に記載の画像データ記録装置では、全くフォーマットされていないメモリカードに対して新たにメモリカードのフォーマットを行う際に、メモリカードの容量によって、ＦＡＴ１６の形式によって行うフォーマットと、メモリ領域を分割した後にＦＡＴ１６およびＦＡＴ３２の形式によって行うフォーマットとのどちらかを行うように構成されている。
【０００５】
【特許文献１】特開２００３−３０４４３８号公報
【特許文献２】特開２００５−３５２７６５号公報
【発明の開示】
【発明が解決しようとする課題】
【０００６】
しかしながら、上記特許文献１に記載のファイル制御方式では、制御プロセッサが、ディジタルカメラに対応していない形式によってフォーマットされているカードにアクセスした際に、制御プロセッサのカードに対する処理速度が低下する場合があるという問題点がある。
【０００７】
また、上記特許文献２に記載の画像データ記録装置では、全くフォーマットされていないメモリカードに対しては、メモリカードの容量によって、ＦＡＴ１６の形式によって行うフォーマットと、メモリ領域を分割した後にＦＡＴ１６およびＦＡＴ３２の形式によって行うフォーマットとのどちらかを行う一方で、既にフォーマットされているメモリカードが装置本体に挿入された際の処理については開示も示唆もされておらず、処理は行われないと考えられる。この場合には、挿入されたメモリカードが、画像データ記録装置に対応していない形式によってフォーマットされていた場合にも、そのままアクセスが行われるので、ＣＰＵがメモリカードへアクセスした際のメモリカードに対する処理速度が低下する場合があるという問題点がある。
【０００８】
この発明は、上記のような課題を解決するためになされたものであり、この発明の１つの目的は、対応されていない形式によってフォーマットされた外部メモリに対する制御部の処理速度の低下を抑制することが可能な電子機器を提供することである。
【課題を解決するための手段および発明の効果】
【０００９】
この発明の第１の局面による電子機器は、データを記憶する外部メモリが着脱可能に装着される装置本体を備えた電子機器において、表示部と、装置本体に装着された外部メモリを制御するための制御部とをさらに備え、制御部は、外部メモリにアクセスする際に外部メモリの内部情報を取得するとともに、制御部による設定および取得した外部メモリの内部情報が所定の条件を満たしているか否かを判断し、所定の条件を満たす場合に、ユーザに対して警告するとともに対応の選択を要求する画面を表示部に表示させるように制御するように構成され、所定の条件は、制御部による、ユーザに対する警告の表示の設定が有効であるという条件と、外部メモリに対する書き込み禁止の設定がなされていないという条件と、外部メモリが所定の容量以下であるという条件と、外部メモリが所定のフォーマット以外でフォーマットされているという条件との少なくとも１つを含み、内部メモリ部を含むとともに、外部メモリに記録される全データの容量が装置本体の内部メモリ部の容量以下の場合に、表示部に表示される対応の選択を表示する画面には、少なくとも、外部メモリに記憶されたデータを消去しないで所定のフォーマットによりフォーマットするという第１選択肢が表示され、ユーザにより第１選択肢が選択された場合に、制御部は、外部メモリに記録される全データを一時的に装置本体の内部メモリ部に記録させて外部メモリに対して所定のフォーマットによりフォーマットするとともに、外部メモリのフォーマットの終了後に、装置本体の内部メモリ部に一時的に記録させた全データを、再度外部メモリに記録させるように構成されている。
【００１０】
この第１の局面による電子機器では、上記のように、所定の条件を満たしている場合（たとえば外部メモリが所定のフォーマット以外でフォーマットされている場合）に、制御部が、ユーザに対して警告するとともに対応の選択を要求する画面を表示部に表示させるように制御するように構成することによって、ユーザは、表示部に表示された警告によって外部メモリが電子機器に対応していないことを認識することができるとともに、表示部の対応の選択を要求する画面において対応することができる。したがって、電子機器に対応されていない形式によってフォーマットされた外部メモリに対する制御部の処理速度の低下を抑制することができる。
【００１１】
また、第１の局面による電子機器では、所定の条件は、制御部による、ユーザに対する警告の表示の設定が有効であるという条件と、外部メモリに対する書き込み禁止の設定がなされていないという条件と、外部メモリが所定の容量以下であるという条件と、外部メモリが所定のフォーマット以外でフォーマットされているという条件との少なくとも１つを含むように構成することによって、これらのうちの少なくとも１つの条件を満たす外部メモリを判別することができるので、確実にユーザに対する警告および対応の選択を要求する画面を表示することができる。したがって、ユーザは所定の条件を満たす外部メモリを誤まって使用することを防止することができる。また、制御部は、外部メモリにアクセスする際に外部メモリの内部情報を取得するとともに、制御部による設定および取得した外部メモリの内部情報が所定の条件を満たしているか否かを判断するように構成することによって、制御部によって外部メモリの内部情報が所定の情報を満たしているか否かを判別することができるので、所定の条件を満たす外部メモリを容易に判別することができる。また、装置本体は、内部メモリ部を含み、外部メモリに記録される全データの容量が装置本体の内部メモリ部の容量以下の場合に、表示部に表示される対応の選択を表示する画面に、少なくとも、外部メモリに記録されたデータを消去しないで所定のフォーマットによりフォーマットするという第１選択肢を表示するように構成することによって、第１選択肢が表示部に表示されるとともに、表示部の画面上において第１選択肢を選択することができるので、ユーザは、装置本体に対して複雑な操作を行うことなく、外部メモリに記録されたデータを消去しないで所定のフォーマットをする動作を行わせることができる。また、ユーザにより第１選択肢が選択された場合に、制御部は、外部メモリに記録される全データを一時的に装置本体の内部メモリ部に記録させて外部メモリに対して所定のフォーマットによりフォーマットするとともに、外部メモリのフォーマットの終了後に、装置本体の内部メモリ部に一時的に記録させた全データを、再度外部メモリに記録させるように構成することによって、外部メモリに記録されているデータを装置本体の内部メモリ部に一時的に記録させた状態において外部メモリをフォーマットするので、容易に、外部メモリに記録されているデータを削除することなくフォーマットすることができる。
【００１２】
この発明の第２の局面による電子機器は、表示部と、データを記憶する外部メモリが着脱可能に装着される装置本体と、装置本体に装着された外部メモリを制御するための制御部とを備え、制御部は、所定の条件を満たす場合に、ユーザに対して警告するとともに対応の選択を要求する画面を表示部に表示させるように制御するように構成されている。
【００１３】
この第２の局面による電子機器では、上記のように、所定の条件を満たしている場合（たとえば外部メモリが所定のフォーマット以外でフォーマットされている場合）に、制御部が、ユーザに対して警告するとともに対応の選択を要求する画面を表示部に表示させるように制御するように構成することによって、ユーザは、表示部に表示された警告によって外部メモリが電子機器に対応していないことを認識することができるとともに、表示部の対応の選択を要求する画面において対応することができる。したがって、電子機器に対応されていない形式によってフォーマットされた外部メモリに対する制御部の処理速度の低下を抑制することができる。
【００１４】
上記第２の局面による電子機器において、好ましくは、所定の条件は、制御部による、ユーザに対する警告の表示の設定が有効であるという条件と、外部メモリに対する書き込み禁止の設定がなされていないという条件と、外部メモリが所定の容量以下であるという条件と、外部メモリが所定のフォーマット以外でフォーマットされているという条件との少なくとも１つを含む。このように構成すれば、これらのうちの少なくとも１つの条件を満たす外部メモリを判別することができるので、確実にユーザに対する警告および対応の選択を要求する画面を表示することができる。したがって、ユーザは所定の条件を満たす外部メモリを誤まって使用することを防止することができる。
【００１５】
上記第２の局面による電子機器において、好ましくは、制御部は、外部メモリにアクセスする際に外部メモリの内部情報を取得するとともに、制御部による設定および取得した外部メモリの内部情報が所定の条件を満たしているか否かを判断する。このように構成すれば、制御部によって外部メモリの内部情報が所定の情報を満たしているか否かを判別することができるので、所定の条件を満たす外部メモリを容易に判別することができる。
【００１６】
上記第２の局面による電子機器において、好ましくは、装置本体は、内部メモリ部を含み、外部メモリに記録される全データの容量が装置本体の内部メモリ部の容量以下の場合に、表示部に表示される対応の選択を表示する画面に、少なくとも、外部メモリに記録されたデータを消去しないで所定のフォーマットによりフォーマットするという第１選択肢を表示する。このように構成すれば、第１選択肢が表示部に表示されるとともに、表示部の画面上において第１選択肢を選択することができるので、ユーザは、装置本体に対して複雑な操作を行うことなく、外部メモリに記録されたデータを消去しないで所定のフォーマットをする動作を行わせることができる。
【００１７】
この場合、好ましくは、ユーザにより第１選択肢が選択された場合に、制御部は、外部メモリに記録される全データを一時的に装置本体の内部メモリ部に記録させて外部メモリに対して所定のフォーマットによりフォーマットするとともに、外部メモリのフォーマットの終了後に、装置本体の内部メモリ部に一時的に記録させた全データを、再度外部メモリに記録させる。このように構成すれば、外部メモリに記録されているデータを装置本体の内部メモリ部に一時的に記録させた状態において外部メモリをフォーマットするので、容易に、外部メモリに記録されているデータを削除することなくフォーマットすることができる。
【発明を実施するための最良の形態】
【００１８】
以下、本発明を具体化した実施形態を図面に基づいて説明する。
【００１９】
図１および図２は、本発明の一実施形態によるビデオカメラの全体構成を示す斜視図である。図３は、本発明の一実施形態によるビデオカメラの内部構成を示すブロック図である。まず、図１〜図３を参照して、本発明の一実施形態によるビデオカメラ１の構造を説明する。なお、本実施形態では、電子機器の一例として、ビデオカメラの内蔵メモリおよびビデオカメラに着脱可能に装着されるメモリカードに映像を記録するとともに、記録された映像を再生することが可能なビデオカメラに本発明を適用した場合について説明する。
【００２０】
本実施形態によるビデオカメラ１は、図１および図２に示すように、樹脂製の筐体２と、複数の光学レンズ３が内部に収納された鏡筒４と、内蔵マイク５と、電源ボタン６と、録画／再生ボタン７と、ファインダ８と、録画された映像を画面表示可能な液晶モニタ９と、メモリカード１０が着脱可能に装着されるメモリカードＩ／Ｆ部１１とを備えている。なお、液晶モニタ９は、本発明の「表示部」の一例である。また、メモリカード１０は、本発明の「外部メモリ」の一例である。
【００２１】
また、図１および図２に示すように、複数の光学レンズ３が収納された鏡筒４は、筐体２の正面側から外部に水平に突出されるように構成されている。また、内蔵マイク５は、撮影時に被写体周辺の音を収集する機能を有している。また、録画／再生ボタン７は、ユーザが被写体の撮影時に押圧することによって録画動作が開始されるとともに、録画終了時に押圧することによって録画動作が停止される機能を有している。また、撮影された映像は、映像データとして後述するビデオカメラ１の内蔵メモリ（図３参照）１４ｄおよび後述するメモリカード１０のメモリ部１０ｂ（図３参照）に記録される。また、ファインダ８および筐体２から開閉可能に開けられる液晶モニタ９は、ユーザがファインダ８および液晶モニタ９のいずれか、またはその両方を通して被写体を見ながら、撮影範囲を決定することが可能なように構成されている。
【００２２】
また、図３に示すように、ビデオカメラ１の筐体２（図１および図２参照）の内部には、被写体を撮影するためのＣＣＤセンサなどからなる撮像素子１２と、電源部１３と、制御回路部１４とが設けられている。
【００２３】
また、図３に示すように、制御回路部１４は、ＣＰＵからなる制御部１４ａと、画像処理部１４ｂと、メモリカードコントローラ１４ｃと、内蔵メモリ１４ｄとによって構成されている。
【００２４】
ここで、制御部１４ａは、ビデオカメラ１の全体の制御を行うとともに、メモリカードＩ／Ｆ部１１に装着されたメモリカード１０を制御する機能を有する。
【００２５】
また、本実施形態では，制御部１４ａは、所定の条件を満たす場合に、ユーザに対して警告・選択画面を液晶モニタ９に表示させるように制御するように構成されている。
【００２６】
また、本実施形態では、所定の条件とは、制御部１４ａによる、ユーザに対する警告・選択画面の表示の設定が有効であるという条件と、メモリカード１０に対する書き込み禁止の設定がなされていないという条件と、メモリカード１０が２ＧＢ（ギガバイト）の容量以下であるという条件と、メモリカード１０が所定の形式（ＦＡＴ１２またはＦＡＴ１６）以外のフォーマットによってフォーマットされているという条件との４つの条件を含む。本実施形態では、この４つの条件が満足されている場合に、警告・選択画面の表示が行われる。
【００２７】
また、本実施形態では、制御部１４ａは、メモリカード１０にアクセスする際に、メモリカード１０の設定状態（書き込み禁止の設定など）、メモリカード１０の容量、メモリカード１０に施されているフォーマットの形式およびメモリカード１０に記録されているデータなどからなるメモリカード１０の内部情報を取得するとともに、制御部１４ａによる設定および取得したメモリカード１０の内部情報が所定の情報を満たしているか否かを判断するように構成されている。
【００２８】
また、画像処理部１４ｂは、ＣＣＤセンサなどからなる撮像素子１２によって撮影された映像を画像信号に変換するとともに、色調補正などの画像処理を加えたうえで記録可能なデータサイズに圧縮する機能を有している。また、メモリカードコントローラ１４ｃは、メモリカード１０に記録されているデータの転送を行う機能を有している。また、内蔵メモリ１４ｄは、前述したように、撮影された映像データを記録する機能を有する。また、内蔵メモリ１４ｄは、ビデオカメラ１の動作全体を制御する制御プログラムが格納されているとともに、ビデオカメラ１が各種の動作を行う上で必要となるプログラムデータや制御パラメータなどを一時的に記憶する機能も有する。なお、内臓メモリ１４ｄは、本発明の「内部メモリ部」の一例である。
【００２９】
また、図３に示すように、メモリカード１０は、メモリカード１０を制御するための機能を有するコントローラ１０ａと、撮影された映像データを記録する機能を有するメモリ部１０ｂとを含んでいる。
【００３０】
図４〜図６は、図１に示した本発明の一実施形態によるビデオカメラにメモリカードを挿入した際における、制御部によるメモリカードへのアクセス時の制御フローを示したフローチャートである。図７〜図１１は、図１に示した本発明の一実施形態によるビデオカメラの液晶モニタに表示される画面を説明するための図である。次に、メモリカードのフォーマットについて説明した後に、図１〜図１１を参照して、本発明の一実施形態によるビデオカメラ１の制御部１４ａにおけるビデオカメラ１に対応されていない形式によってフォーマットされているメモリカード１０へのアクセス時の制御について説明する。
【００３１】
まず、メモリカードのフォーマットについて説明する。たとえば、ＰＣ（パーソナルコンピュータ）のハードディスクやメモリカードなどの記憶媒体は、記憶媒体を利用可能にするために、記憶領域を小さな部分に区分けし、どの部分に何を記憶したかを管理するための管理領域を確保しなければならない。そして、この区分けおよび管理領域の確保を行う操作のことをフォーマットといい、記憶媒体を使用する場合には、使用する前に必ずフォーマットしなければ使用することができない。なお、通常は、すでに利用されている記憶媒体においてフォーマットを行った場合には、予め記憶媒体に記録されていたデータは全て消去される。
【００３２】
次に、本発明の一実施形態によるビデオカメラ１の制御部１４ａ（図３参照）によるビデオカメラ１に対応されていない形式によってフォーマットがなされているメモリカード１０に対するアクセス時の制御について説明する。まず、図４に示すステップＳ１において、図２に示すように、メモリカード１０（図１および図３参照）がビデオカメラ１のメモリカードＩ／Ｆ部１１（図３参照）に挿入されると、ステップＳ２において、制御部１４ａ（図３参照）によりメモリカード１０へのアクセスが開始される。具体的には、制御部１４ａがメモリカード１０のコントローラ１０ａ（図３参照）に対して、メモリカード１０の設定状態（書き込み禁止の設定など）、メモリカード１０の容量、メモリカード１０に施されているフォーマットの形式およびメモリカード１０に記録されているデータなどからなるメモリカード１０の内部情報の読み込みが行われる。そして、ステップＳ３において、メモリカード１０へのアクセスに失敗したと判断されると、ステップＳ４において、たとえば、図７に示すように、「メモリカードへのアクセスに失敗しました」というようなアクセス失敗時のエラー画面（１）９ａが液晶モニタ９に表示されて、制御部１４ａの動作は終了する。ここで、メモリカード１０へのアクセスに失敗する場合としては、たとえば、メモリカード１０の破損などにより、メモリカード１０にアクセスできないなどの場合が挙げられる。
【００３３】
また、ステップＳ３において、メモリカード１０へのアクセスに成功したと判断されると、ステップＳ５において、上記したような、メモリカード１０の設定状態（書き込み禁止の設定など）、メモリカード１０の容量、メモリカード１０に施されているフォーマットの形式およびメモリカード１０に記録されているデータなどからなるメモリカード１０の内部情報の読み込みなどが行われる。
【００３４】
ここで、フォーマットの形式について説明する。フォーマットの形式には、具体的に、ＦＡＴ１２、ＦＡＴ１６およびＦＡＴ３２などの形式がある。ＦＡＴ（Ｆｉｌｅ  Ａｌｌｏｃａｔｉｏｎ  Ｔａｂｌｅ）とは、ＷｉｎｄｏｗｓなどのＯＳで利用されるファイルシステムのことであり、ＦＡＴ１２は、記憶媒体の容量を２の１２乗（＝４０９６）個の小さな単位（クラスタ）に分割して管理するもので、主にフロッピーディスクなどにおいて利用される。また、ＦＡＴ１６は、記憶媒体の容量を２の１６乗（＝６５５３６）個の単位（クラスタ）に分割して管理するもので、容量が２ＧＢ（ギガバイト）までの記憶媒体を管理することが可能であり、ディジタルカメラなどの電子機器（特に２ＧＢの容量を有する記録媒体を使用する機種）などにおいて、ＦＡＴ１６までを対応可能にしている機種が多く存在する。また、ＦＡＴ３２は、記憶媒体の容量を２の３２乗（＝約４２億）個の単位に分割して管理するもので、ＦＡＴ１２およびＦＡＴ１６に比べて大容量の記憶媒体を管理することが可能な形式である。
【００３５】
そして、上記したように、本実施形態では、ステップＳ５において、制御部１４ａは、メモリカード１０にアクセスする際にメモリカード１０の上記した内部情報を取得するとともに、後述するステップＳ６〜ステップＳ９において、制御部１４ａによる設定および取得したメモリカード１０の内部情報が上記した所定の条件を満たしているか否かを判断する。
【００３６】
具体的には、まず、ステップＳ６において、制御部１４ａにおいて、警告・選択画面の表示設定が有効か否かが判断される。制御部１４ａにおいて、警告・選択画面の表示設定が有効であると判断された場合にはステップＳ７に進む一方、警告・選択画面の表示設定が無効であると判断された場合には、処理を終了する。
【００３７】
ステップＳ６において、制御部１４ａにおける警告・選択画面の表示設定が有効であると判断された場合には、ステップＳ７において、メモリカード１０への書き込み禁止の設定が有効であるか否かが判断される。メモリカード１０への書き込み禁止の設定が無効であると判断された場合にはステップＳ８に進む一方、メモリカード１０への書き込み禁止の設定が有効であると判断された場合には、処理を終了する。
【００３８】
そして、ステップＳ７において、メモリカード１０への書き込み禁止の設定が有効であると判断されると、ステップＳ８において、メモリカード１０の容量が２ＧＢ以下であるか否かが判断される。メモリカード１０の容量が２ＧＢ以下であると判断された場合にはステップＳ９に進む一方で、メモリカード１０の容量が２ＧＢ以上であると判断された場合、処理を終了する。
【００３９】
そして、ステップＳ８において、メモリカード１０の容量が２ＧＢ以下であると判断された場合には、ステップＳ９において、メモリカード１０がＦＡＴ１２またはＦＡＴ１６によってフォーマットされているか否かが判断される。メモリカード１０がＦＡＴ１２、またはＦＡＴ１６によってフォーマットされていないと判断された場合にはステップＳ１０に進む一方で、メモリカード１０がＦＡＴ１２、またはＦＡＴ１６によってフォーマットされていると判断された場合には、処理を終了する。
【００４０】
そして、ステップＳ９において、メモリカード１０がＦＡＴ１２またはＦＡＴ１６によってフォーマットされていないと判断されると、ステップＳ１０において、メモリカード１０に記録されている全データの容量がビデオカメラ１の内蔵メモリ１４ｄ（図３参照）の容量以下であるか否かが判断される。メモリカード１０に記録されている全データの容量がビデオカメラ１の内蔵メモリ１４ｄの容量以下であると判断された場合には、ステップＳ１１に進み、液晶モニタ９に、図８に示すような、警告・選択画面（１）９ｂが表示される。
【００４１】
液晶モニタ９に表示される警告・選択画面（１）９ｂには、メモリカード１０を、メモリカード１０に記録されたデータを消去しないで、ＦＡＴ１６の形式によりフォーマットするという選択肢である「フォーマット＋保存データ復旧」９ｄと、警告９ｇを無視してフォーマットなど何も行わずに処理を終了させるという選択肢である「無視」９ｅと、メモリカード１０に記録されたデータを消去して、ＦＡＴ１６の形式によりフォーマットするという選択肢である「フォーマット（保存データ全削除）」９ｆとからなる３つの選択肢が表示されるとともに、ユーザに対する警告９ｇが表示される。なお、警告９ｇには、「メモリカードのフォーマットが異なるため、読み書きに問題が発生する可能性があります。対応方法を選択してください」という旨の表示がなされる。また、メモリカード１０に記録されている全データの容量がビデオカメラ１の内蔵メモリ１４ｄの容量以上であると判断された場合には、ステップＳ１２に進み、図９に示すような、警告・選択画面（２）９ｃが表示される。この警告・選択画面（２）９ｃには、「無視」９ｅと、「フォーマット（保全データ全削除）」９ｆとの２つの選択肢が表示されるとともに、ユーザに対する警告９ｇが表示される。なお、「フォーマット＋保存データ復旧」９ｄは、本発明の「第１選択肢」の一例である。
【００４２】
上記のように、本実施形態では、制御部１４ａは、ステップＳ６〜ステップＳ９における所定の条件を満たす場合に、図８および図９に示すように、ユーザに対して上記したような警告９ｇを表示するとともに対応の選択を要求する警告・選択画面（１）９ｂおよび警告・選択画面（２）９ｃを液晶モニタ９に表示させるように制御する。
【００４３】
また、ステップＳ１１において、液晶モニタ９に警告・選択画面（１）９ｂ（図８参照）が表示された際に、図５に示すように、ステップＳ１３において、「フォーマット＋保存データ復旧」９ｄが選択されたか否かが判断される。
【００４４】
ここで、本実施形態では、ステップＳ１３において、ユーザにより、警告・選択画面（１）９ｂにおける「フォーマット＋保全データ復旧」９ｄが選択されたと判断された場合に、制御部１４ａ（図３参照）は、メモリカード１０に記録される全データを一時的にビデオカメラ１の内蔵メモリ１４ｄに記録させてメモリカード１０に対してＦＡＴ１６の形式のフォーマットを行うとともに、メモリカード１０のフォーマットの終了後に、ビデオカメラ１の内蔵メモリ１４ｄに一時的に記録させた全データを、再度メモリカード１０に記録させる。
【００４５】
具体的には、ステップＳ１３において、「フォーマット＋保全データ復旧」９ｄ（図８参照）が選択されたと判断された場合、ステップＳ１４において、ビデオカメラ１の内蔵メモリ１４ｄ（図３参照）に、メモリカード１０に記録されているデータのコピーが開始される。そして、ステップＳ１５において、メモリカード１０に記録されているデータの内蔵メモリ１４ｄへのコピーが成功したか否かが判断される。メモリカード１０に記録されているデータの内蔵メモリ１４ｄへのコピーが成功したと判断された場合、ステップＳ１６に進み、メモリカード１０のＦＡＴ１６の形式によるフォーマットが開始される。また、メモリカード１０に記録されているデータの内蔵メモリ１４ｄへのコピーが失敗したと判断された場合、ステップＳ１７において、図１０に示すように、液晶モニタ９に約３秒間ほど、「メモリカードのデータのコピーに失敗しました」というような、メモリカード１０に記録されているデータの内蔵メモリ１４ｄへのコピーの失敗を知らせるエラー画面（２）９ｈが表示される。
【００４６】
また、ステップＳ１６において、メモリカード１０のフォーマットが開始された後に、ステップＳ１８において、メモリカード１０のフォーマットが成功したか否かが判断される。ここで、メモリカード１０のフォーマットが成功したと判断された場合、ステップＳ１９において、ステップＳ１５においてビデオカメラ１の内蔵メモリ１４ｄに一時的に記録させていたメモリカード１０のデータを、再度メモリカード１０のメモリ部１０ｂ（図３参照）に記録させることによって、処理は終了される。
【００４７】
また、ステップＳ１８において、メモリカード１０のフォーマットが失敗したと判断された場合、ステップＳ２０において、図１１に示すように、液晶モニタ９に、「メモリカードのフォーマットに失敗しました」というような、メモリカード１０のフォーマットを知らせるエラー画面（３）９ｉが表示される。
【００４８】
また、図５に示すように、ステップＳ１３において、警告・選択画面（１）９ｂ（図８参照）における「フォーマット＋保全データ復旧」９ｄが選択されないと判断された場合、図６に示すように、ステップＳ２１において、警告・選択画面（１）９ｂにおける「フォーマット（保存データ全削除）」９ｆが選択されたか否かが判断される。「フォーマット（保存データ全削除）」９ｆが選択されたと判断された場合、ステップＳ２２において、メモリカード１０のフォーマットが開始される。メモリカード１０のフォーマットが開始された後に、ステップＳ２３において、メモリカード１０のフォーマットが成功したか否かが判断される。ここで、メモリカード１０のフォーマットが成功したと判断された場合、メモリカード１０のフォーマットは完了したと判断されて制御部１４ａの動作は終了する。また、メモリカード１０のフォーマットが失敗したと判断された場合、ステップＳ２４において、ステップＳ２０と同様にして、図１１に示すように、液晶モニタ９に、たとえば、「メモリカードのフォーマットに失敗しました」と表記された、メモリカード１０のフォーマットを知らせるエラー画面（３）９ｉが表示される。
【００４９】
また、図６に示すように、ステップＳ２１において、「フォーマット（保存データ全削除）」９ｆが選択されないと判断された場合、ステップＳ２５において、選択肢「無視」９ｅが選択されたか否かが判断される。選択肢「無視」９ｅ（図８参照）が選択されたと判断された場合、処理を終了する。この時、メモリカード１０のフォーマットは行われない。また、ステップＳ２５において、選択肢「無視」９ｅが選択されないと判断された場合、ユーザは選択肢を何も選択していない状態であり、液晶モニタ９に警告・選択画面（１）（図８参照）が表示されたままの状態が継続する。
【００５０】
また、図４に示すように、ステップＳ１０およびステップＳ１２において、メモリカード１０に記録される全データの容量がビデオカメラ１の内蔵メモリ１４ｄの容量以上であると判断されたことによって、液晶メモリ９に警告・選択画面（２）９ｃ（図９参照）が表示された場合、図６に示すように、ステップＳ２１に進み、上述したステップＳ２１以降の動作が行われる。
【００５１】
また、ステップＳ１７において、液晶モニタ９にメモリカード１０のデータの内蔵メモリ１４ｄへのコピーの失敗を知らせるエラー画面（２）９ｈ（図１０参照）が表示された後に、図４に示すように、ステップＳ１２に進み、上述したように、液晶メモリ９に警告・選択画面（２）９ｃ（図９参照）が表示されるとともに、ステップＳ２１以降の動作が行われる。
【００５２】
本実施形態では、上記のように、所定の条件を満たしている場合（たとえばメモリカード１０がＦＡＴ１２またはＦＡＴ１６の形式のフォーマット以外でフォーマットされている場合）に、制御部１４ａが、ユーザに対して警告９ｇするとともに対応の選択を要求する警告・選択画面（１）９ｂおよび警告・選択画面（２）９ｃを液晶モニタ９に表示させるように制御するように構成することによって、ユーザは、液晶モニタ９に表示された警告９ｇによってメモリカード１０がビデオカメラ１に対応していないことを認識することができるとともに、液晶モニタ９の警告・選択画面（１）９ｂおよび警告・選択画面（２）９ｃにおいて対応することができる。したがって、ビデオカメラ１に対応されていない形式によってフォーマットされたメモリカード１０に対する制御部１４ａの処理速度の低下を抑制することができる。
【００５３】
また、本実施形態では、所定の条件は、制御部１４ａによる、ユーザに対する警告９ｇの表示の設定が有効であるという条件と、メモリカード１０に対する書き込み禁止の設定がなされていないという条件と、メモリカード１０が２ＧＢ（ギガバイト）以下であるという条件と、メモリカード１０がＦＡＴ１２またはＦＡＴ１６の形式によってフォーマットされているという条件との４つの条件を含むように構成することによって、これらの４つの条件を満たすメモリカード１０を判別することができるので、確実にユーザに対する警告９ｇおよび対応の選択を要求する警告・選択画面（１）９ｂおよび警告・選択画面（２）９ｃを表示することができる。したがって、ユーザは所定の条件を満たすメモリカード１０を誤まって使用することを防止することができる。
【００５４】
また、本実施形態では、制御部１４ａは、メモリカード１０にアクセスする際にメモリカード１０の内部情報を取得するとともに、制御部１４ａによる設定および取得したメモリカード１０の内部情報が所定の条件を満たしているか否かを判断するように構成することによって、制御部１４ａによってメモリカード１０の内部情報が所定の情報を満たしているか否かを判別することができるので、所定の条件を満たすメモリカード１０を容易に判別することができる。
【００５５】
また、本実施形態では、ビデオカメラ１は、内蔵メモリ１４ｄを含み、メモリカード１０に記録される全データの容量がビデオカメラ１の内蔵メモリ１４ｄの容量以下の場合に、液晶モニタ９に表示される対応の選択を表示する警告・選択画面（１）９ｂに、メモリカード１０に記録されたデータを消去しないで所定のフォーマットによりフォーマットするという選択肢である「フォーマット＋保存データ復旧」９ｄを表示するように構成することによって、「フォーマット＋保存データ復旧」９ｄが液晶モニタ９に表示されるとともに、液晶モニタ９の画面上において「フォーマット＋保存データ復旧」９ｄを選択することができるので、ユーザは、ビデオカメラ１に対して複雑な操作を行うことなく、メモリカード１０に記録されたデータを消去しないで所定のフォーマットをする動作を行わせることができる。
【００５６】
また、本実施形態では、ユーザにより「フォーマット＋保存データ復旧」９ｄが選択された場合に、制御部１４ａは、メモリカード１０に記録される全データを一時的にビデオカメラ１の内蔵メモリ１４ｄに記録させてメモリカード１０に対してＦＡＴ１６の形式によるフォーマットによりフォーマットするとともに、メモリカード１０のフォーマットの終了後に、ビデオカメラ１の内蔵メモリ１４ｄに一時的に記録させた全データを、再度メモリカード１０に記録させるように構成することによって、メモリカード１０に記録されているデータをビデオカメラ１の内蔵メモリ１４ｄに一時的に記録させた状態においてメモリカード１０をフォーマットするので、容易に、メモリカード１０に記録されているデータを削除することなくフォーマットすることができる。
【００５７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５８】
たとえば、本実施形態において、電子機器の一例としてビデオカメラを適用する例を示したが、本発明はこれに限らず、メモリカードなどの着脱可能な記憶媒体が使用可能な電子機器であれば適用可能である。
【００５９】
また、本実施形態において、メモリカードが所定の条件を満たしたと判断された場合には、液晶モニタに警告が表示されるとともに、ユーザによる対応の選択の画面が表示される例を示したが、本発明はこれに限らず、メモリカードが所定の条件を満たすと判断された場合には、メモリカードを自動的にフォーマットしてもよい。
【００６０】
また、本実施形態において、液晶モニタに警告が表示されるために４つの条件を設ける例を示したが、本発明はこれに限らず、警告が表示されるための条件は４つ以下でもよいし、４つの条件にさらに別の条件を加えてもよい。
【００６１】
また、本実施形態において、ユーザに対する警告およびエラーの報告を液晶モニタに表示する例を示したが、本発明はこれに限らず、液晶モニタの表示に加えて、ユーザに対する警告およびエラーの報告を音声によって行ってもよい。
【図面の簡単な説明】
【００６２】
【図１】本発明の一実施形態によるビデオカメラの全体構成を示す斜視図である。
【図２】図１に示した本発明の一実施形態によるビデオカメラの全体構成を示す斜視図である。
【図３】図１に示した本発明の一実施形態によるビデオカメラの内部構成を示すブロック図である。
【図４】図１に示した本発明の一実施形態によるビデオカメラの制御部によるメモリカードへのアクセス時における制御フローを示したフローチャートである。
【図５】図１に示した本発明の一実施形態によるビデオカメラの制御部によるメモリカードへのアクセス時における制御フローを示したフローチャートである。
【図６】図１に示した本発明の一実施形態によるビデオカメラの制御部によるメモリカードへのアクセス時における制御フローを示したフローチャートである。
【図７】図１に示した本発明の一実施形態によるビデオカメラの液晶モニタに表示される画面を説明した図である。
【図８】図１に示した本発明の一実施形態によるビデオカメラの液晶モニタに表示される画面を説明した図である。
【図９】図１に示した本発明の一実施形態によるビデオカメラの液晶モニタに表示される画面を説明した図である。
【図１０】図１に示した本発明の一実施形態によるビデオカメラの液晶モニタに表示される画面を説明した図である。
【図１１】図１に示した本発明の一実施形態によるビデオカメラの液晶モニタに表示される画面を説明した図である。
【符号の説明】
【００６３】
１          ビデオカメラ（電子機器）
９          液晶モニタ
９ｂ        警告・選択画面（１）
９ｃ        警告・選択画面（２）
１０        メモリカード（外部メモリ）
１４ａ      制御部
１４ｄ      内蔵メモリ（内部メモリ部）
【図１】
2008197954.tif 000003
【図２】
2008197954.tif 000004
【図３】
2008197954.tif 000005
【図４】
2008197954.tif 000006
【図５】
2008197954.tif 000007
【図６】
2008197954.tif 000008
【図７】
2008197954.tif 000009
【図８】
2008197954.tif 000010
【図９】
2008197954.tif 000011
【図１０】
2008197954.tif 000012
【図１１】
2008197954.tif 000013